(57)【要約】【課題】スプールのコンパクト化及びスプールの強度の向上を図ることにある。【解決手段】本スピニングリール１００のスプール４は、連結部材４０と、スプール本体４１と、固定部材９と、リング部材８とを、備えている。連結部材４０は、円筒状の本体部４０ａと、雄ネジ部４０ｂとを、有している。雄ネジ部４０ｂは、本体部４０ａの外周において前端部から中央部に向けて形成されている。スプール本体４１は、連結部材４０の雄ネジ部４０ｂの中央部側に螺合することによって、連結部材４０の外周に配置される。固定部材９は、連結部材４０の雄ネジ部４０ｂの前端部側に螺合することによって、連結部材４０の外周においてスプール本体４１の前側に当接する。リング部材８は、スプール本体４１の外周部と固定部材９の外周部とによって、挟持される。【選択図】図３
2014121278.tif 000002
【特許請求の範囲】
【請求項１】
釣り糸を前方に繰り出すスピニングリールのスプールであって、
円筒状の本体部と、前記本体部の外周において前端部から中央部に向けて形成される雄ネジ部とを、有する筒状部材と、
前記雄ネジ部の前記中央部側に螺合することによって、前記筒状部材の外周に配置されるスプール本体と、
前記雄ネジ部の前記前端部側に螺合することによって、前記筒状部材の外周において前記スプール本体の前側に当接する当接部材と、
前記スプール本体の外周部と前記当接部材の外周部との間に配置されるリング部材と、
を備えるスピニングリールのスプール。
【請求項２】
前記スプール本体は、前記釣り糸が外周に巻き付けられる円筒状の糸巻き胴部と、前記糸巻き胴部の内周において前端部側に形成され前記雄ネジ部の前記中央部側に螺合する第１雌ネジ部とを、有し、
前記当接部材は、前記雄ネジ部の前記前端部側に螺合する第２雌ネジ部を、有する、
請求項１に記載のスピニングリールのスプール。
【請求項３】
前記第１雌ネジ部と前記第２雌ネジ部とが隣接した状態で、前記第１雌ネジ部と前記第２雌ネジ部とは、前記雄ネジ部に螺合する、
請求項２に記載のスピニングリールのスプール。
【請求項４】
前記当接部材は、前記スプール本体に当接する当接部を、さらに有し、
前記第２雌ネジ部は、前記当接部の内周に形成されている、
請求項２又は３に記載のスピニングリールのスプール。
【請求項５】
前記スプール本体は、前記糸巻き胴部の前端部から径方向外方に延びるフランジ部を、さらに有し、
前記当接部材は、前記当接部から径方向外方に突出する突出部を、さらに有し、
前記リング部材は、前記スプール本体の前記フランジ部と前記当接部材の前記突出部とによって、挟持される、
請求項４に記載のスピニングリールのスプール。
【請求項６】
リール本体と、
リール本体に回転自在に装着されるハンドルと、
前記ハンドルの操作に連動して回転するロータと、
前記ロータの回転によって釣り糸が巻き付けられる、請求項１から５のいずれか１項に記載のスプールと、
を備えるスピニングリール。
【発明の詳細な説明】
【技術分野】
【０００１】
本発明は、釣り糸を前方に繰り出すスピニングリール、及びスピニングリールのスプールに関する。
【背景技術】
【０００２】
従来のスピニングリールは、スプール本体と、当接部材と、リング部材とを、備えている。このタイプのスピニングリールでは、スプール本体は、雄ネジ部を有している。雄ネジ部は、スプール本体の前端部から前方に突出するように、スプール本体に一体に形成されている。当接部材には、雄ネジ部に螺合する雌ネジ部が、形成されている。リング部材は、スプール本体と当接部材とによって、挟持される。
【先行技術文献】
【特許文献】
【０００３】
【特許文献１】特開２００８―２８３９３１号公報
【発明の概要】
【発明が解決しようとする課題】
【０００４】
従来の構成では、スプール本体に一体に形成された雄ネジ部に、当接部材の雌ネジ部を螺合させることによって、リング部材が、スプール本体と当接部材とによって挟持されていた。この構成では、雄ネジ部の基端部には、不完全ネジ部が形成されるため、当接部材をスプール本体に確実に固定するためには、完全ネジ部を十分に確保する必要があった。すなわち、雄ネジ部を長く設計する必要があった。このため、スプール全体の前後方向の長さが、長くなってしまうおそれがあった。また、雄ネジ部をスプール本体から突出させた場合、この雄ネジ部の長さが長くなればなるほど、雄ネジ部の強度が低下するおそれもあった。
【０００５】
本発明は、上記の問題に鑑みてなされたものであって、本発明の目的は、スプールのコンパクト化及びスプールの強度の向上を図ることにある。
【課題を解決するための手段】
【０００６】
発明１に係るスピニングリールのスプールは、釣り糸を前方に繰り出すスピニングリールのスプールである。このスプールは、筒状部材と、スプール本体と、当接部材と、リング部材とを、備えている。筒状部材は、円筒状の本体部と、雄ネジ部とを、有している。雄ネジ部は、本体部の外周において前端部から中央部に向けて形成されている。スプール本体は、筒状部材の雄ネジ部の中央部側に螺合することによって、筒状部材の外周に配置される。当接部材は、筒状部材の雄ネジ部の前端部側に螺合することによって、筒状部材の外周においてスプール本体の前側に当接する。リング部材は、スプール本体の外周部と当接部材の外周部とによって、挟持される。
【０００７】
このスプールでは、筒状部材を介して、スプール本体と当接部材とは連結されている。詳細には、筒状部材の雄ネジ部に、スプール本体と当接部材とを螺合することによって、スプール本体と当接部材とは連結されている。これにより、スプール本体と当接部材との間に不完全ネジ部を形成することなく、スプール本体と当接部材とを連結することができる。これにより、スプールのコンパクト化、及びスプールの強度を同時に図ることができる。
【０００８】
発明２に係るスピニングリールのスプールでは、発明１に記載のスプールにおいて、スプール本体は、円筒状の糸巻き胴部と、第１雌ネジ部とを、有している。糸巻き胴部には、釣り糸が外周に巻き付けられる。第１雌ネジ部は、雄ネジ部の中央部側に螺合する部分である。第１雌ネジ部は、糸巻き胴部の内周において前端部側に形成されている。当接部材は、第２雌ネジ部を、有している。第２雌ネジ部は、雄ネジ部の前端部側に螺合する。
【０００９】
この場合、スプール本体の第１雌ネジ部を、筒状部材の雄ネジ部の前端部側に螺合し、且つ当接部材の第２雌ネジ部を、筒状部材の雄ネジ部の前端部側に螺合することによって、スプール本体と当接部材とを確実に連結することができる。これにより、スプールのコンパクト化、及びスプールの強度を同時に図ることができる。
【００１０】
発明３に係るスピニングリールのスプールでは、発明２に記載のスプールにおいて、スプール本体の第１雌ネジ部と当接部材の第２雌ネジ部とが隣接した状態で、スプール本体の第１雌ネジ部と当接部材の第２雌ネジ部とは、雄ネジ部に螺合する。
【００１１】
この場合、スプール本体の第１雌ネジ部と当接部材の第２雌ネジ部とが隣接した状態で、当接部材をスプール本体の前側に当接させることができるので、スプール本体と当接部材とをより確実に連結することができる。これにより、スプールのコンパクト化、及びスプールの強度を同時に図ることができる。
【００１２】
発明４に係るスピニングリールのスプールでは、発明２又は３に記載のスプールにおいて、当接部材は、スプール本体に当接する当接部を、さらに有している。当接部材の第２雌ネジ部は、当接部の内周に形成されている。
【００１３】
この場合、当接部材の第２雌ネジ部を当接部の内周に形成することによって、スプール本体と当接部材とをより確実に連結することができるとともに、スプールの更なるコンパクト化を図ることができる。
【００１４】
発明５に係るスピニングリールのスプールでは、発明４に記載のスプールにおいて、スプール本体が、フランジ部を、さらに有している。フランジ部は、糸巻き胴部の前端部から径方向外方に延びている。当接部材は、突出部を、さらに有している。突出部は、当接部から径方向外方に突出している。リング部材は、スプール本体のフランジ部と当接部材の突出部とによって、挟持される。
【００１５】
この場合、当接部材の突出部を、当接部から径方向外方に突出させることによって、当接部材とスプール本体との間で、リング部材を保持することができる。すなわち、上記の効果を有するスプールを、提供することができる。
【００１６】
発明６に係るスピニングリールは、リール本体と、ハンドルと、ロータと、スプールとを、備えている。ハンドルは、リール本体に回転自在に装着される。ロータは、ハンドルの操作に連動して回転する。スプールは、ロータの回転によって釣り糸が巻き付けられる。スプールは、請求項１から５のいずれか１項に記載のスプールである。
【００１７】
このスピニングリールでは、スプールが、請求項１から５のいずれか１項に記載のスプールになっている。これにより、スプールのコンパクト化、及びスプールの強度を同時に図ることが可能なスピニングリールを、提供することができる。
【発明の効果】
【００１８】
本発明によれば、スプールのコンパクト化及びスプールの強度の向上を図ることができる。
【図面の簡単な説明】
【００１９】
【図１】本発明の一実施形態によるスピニングリールの側面図。
【図２】その側面断面図。
【図３】スプールの部分拡大図。
【図４】本発明の他の実施形態によるスプールの部分拡大図。
【発明を実施するための形態】
【００２０】
図１に示すように、本発明の一実施形態によるスピニングリール１００は、釣り糸を前方に繰り出し可能なリールである。図１及び図２に示すように、スピニングリール１００は、ハンドル１と、ハンドル１を回転自在に支持するリール本体２と、ロータ３と、スプール４とを備えている。
【００２１】
ハンドル１は、リール本体２に回転自在に装着される。ハンドル１はリール本体２の左右いずれにも装着可能である。
【００２２】
リール本体２は、側部が開口する筐体部２ａ（図２を参照）と、筐体部２ａの側部を覆う蓋部材２ｂと、筐体部２ａの後部に装着されるガード部材２６と、を備える。
【００２３】
筐体部２ａには、上部に前後に延びるＴ字形の釣り竿装着部２ｅが、一体形成されている。筐体部２ａの内部には、図２に示すように、ロータ駆動機構５と、オシレーティング機構６とが、設けられている。筐体部２ａの前縁部は、開口している。蓋部材２ｂは、筐体部２ａの側部の開口を塞ぐために、筐体部２ａに着脱可能に装着される。蓋部材２ｂは、例えば、図示しない固定ボルトにより、筐体部２ａに固定されている。
【００２４】
ガード部材２６は、筐体部２ａ及び蓋部材２ｂを覆うように後方から装着される部材である。ガード部材２６は、例えば、ボス部２６ａを介して、筐体部２ａに固定されている。ガード部材２６は、リール本体２の後部の外形形状を決定している。ガード部材２６は、例えば、姿合わせのための図示しないパッキンを介して、釣り竿装着部２ｅを含む筐体部２ａ、及び蓋部材２ｂに装着される。
【００２５】
ロータ３は、リール本体２の前部に、回転自在に支持されている。具体的には、ロータ３は、後述するピニオンギア１２に一体回転可能に連結される。ロータ３は、逆転防止機構５０により、逆転禁止状態と逆転許可状態とに切り換え可能である。逆転防止機構５０は、例えば、ローラ型のワンウェイクラッチ５１である。この切換操作は、リール本体２の下部に配置された切換レバー５２により行える。
【００２６】
ロータ３は、円筒部３ａと、第１ロータアーム３ｂと、第２ロータアーム３ｃとを、有している。円筒部３ａと第１ロータアーム３ｂ及び第２ロータアーム３ｃとは、一体成形されている。第１ロータアーム３ｂ及び第２ロータアーム３ｃは、円筒部３ａの側方に互いに対向して設けられている。
【００２７】
第１ロータアーム３ｂの先端の外周側には、第１ベール支持部材４５が揺動自在に装着されている。第１ベール支持部材４５の先端には、釣り糸をスプール４に案内するためのラインローラ４１が、装着されている。また、第２ロータアーム３ｃの先端内周側には、第２ベール支持部材４２が揺動自在に装着されている。
【００２８】
ラインローラ４１と第２ベール支持部材４２との間には、線材を略Ｕ状に湾曲させた形状のベール４３が、固定されている。これらの第１ベール支持部材４５、第２ベール支持部材４２、ラインローラ４１、及びベール４３により、釣り糸をスプール４に案内するベールアーム４４が、構成される。ベールアーム４４は、図２に示す糸案内姿勢とそれから反転した糸開放姿勢との間で揺動自在である。
【００２９】
スプール４は、釣り糸を外周面に巻き取るものであり、ロータ３の前部に前後移動自在に配置されている。スプール４は、一体成型されている。スプール４は、ロータ３の第１ロータアーム３ｂと第２ロータアーム３ｃとの間に配置されている。スプール４は、スプール軸１５の先端にドラグ機構６０を介して、装着されている。
【００３０】
図３に示すように、スプール４は、連結部材４０（筒状部材の一例）と、スプール本体４１と、リング部材８と、固定部材９（当接部材の一例）とを、有している。
【００３１】
連結部材４０は、スプール本体４１と固定部材９とを連結するための部材である。連結部材４０は、円筒状の本体部４０ａと、雄ネジ部４０ｂとを、有している。雄ネジ部４０ｂは、本体部４０ａの外周において、一端側に形成されている。具体的には、雄ネジ部４０ｂは、本体部４０ａの外周において、本体部４０ａの前端部から中央部に向けて、形成されている。
【００３２】
スプール本体４１は、糸巻き胴部４ａと、スカート部４ｂ（図２を参照）と、前フランジ部４ｃ（フランジ部の一例）とを、有している。糸巻き胴部４ａの外周面には、釣り糸が巻かれる。糸巻き胴部４ａは、連結部材４０の雄ネジ部４０ｂに螺合することによって、連結部材４０の外周に配置される。糸巻き胴部４ａは、円筒部１６ａと、第１雌ネジ部１６ｂと、位置決め部１６ｃとを、有している。円筒部１６ａは、円筒状に形成されている。第１雌ネジ部１６ｂは、糸巻き胴部４ａの内周において、糸巻き胴部４ａの前端部側に形成されている。より具体的には、第１雌ネジ部１６ｂは、円筒部１６ａの前部内周側に形成されている。第１雌ネジ部１６ｂは、連結部材４０の雄ネジ部４０ｂの中央部側に螺合する。位置決め部１６ｃは、連結部材４０を位置決めするためのものである。位置決め部１６ｃは、円筒部１６ａの内周部から内方に突出して一体に形成されている。位置決め部１６ｃには、連結部材４０の後端部が当接可能である。
【００３３】
図２に示すように、スカート部４ｂは、ロータ３の円筒部３ａを覆うように、糸巻き胴部４ａと一体成形されている。具体的には、スカート部４ｂは、糸巻き胴部４ａの後方において、糸巻き胴部４ａと一体形成されている。このスカート部４ｂは、筒状に形成されている。スカート部４ｂは、後フランジ部１８ｅと、後フランジ部１８ｅの先端部から後方に突出する円筒部１８ｃとを有している。後フランジ部１８ｅは、前フランジ部４ｃの径方向長さと実質的に同一長さになるように、糸巻き胴部４ａの後端部から径方向外方に突出している。
【００３４】
図２及ぶ図３に示すように、前フランジ部４ｃは、糸巻き胴部４ａの前端部から径方向外方に延びている。言い換えると、前フランジ部４ｃは、糸巻き胴部４ａより大径に形成されているおり、糸巻き胴部４ａの前端に設けられている。前フランジ部４ｃは、糸巻き胴部４ａの前端部から径方向外方に突出している。前フランジ部４ｃは、糸巻き胴部４ａと一体成形されており、糸巻き胴部４ａの前端部と滑らかに連結されている。前フランジ部４ｃには、固定部材９に係合する係合部４ｄが、形成されている。係合部４ｄは、前フランジ部４ｃから前方に突出して一体に形成されている。係合部４ｄは、例えば、円筒状に形成されている。
【００３５】
リング部材８は、釣り糸を前方に案内するためのものである。リング部材８は、糸巻き胴部４ａの外周部と固定部材９の外周部との間に配置される。詳細には、リング部材８は、糸巻き胴部４ａの外周部と固定部材９の外周部とによって、挟持される。具体的には、リング部材８は、前フランジ部４ｃの外周部に、配置される。より具体的には、リング部材８は、係合部４ｄの外周側に配置される。この状態において、リング部材８は、前フランジ部４ｃと固定部材９の傾斜部９ａ（突出部の一例）とによって、挟持される。
【００３６】
固定部材９は、リング部材８を糸巻き胴部４ａに固定するためのものである。固定部材９は、連結部材４０の雄ネジ部４０ｂに螺合することによって、連結部材４０の外周において糸巻き胴部４ａの前側に当接する。固定部材９は、当接部９ｂと、傾斜部９ａとを、有している。当接部９ｂは、糸巻き胴部４ａに当接する部分である。当接部９ｂは、筒状に形成されている。
【００３７】
当接部９ｂは、第２雌ネジ部１９ｂを有している。第２雌ネジ部１９ｂは、当接部９ｂの内周面に、形成されている。第２雌ネジ部１９ｂは、連結部材４０の雄ネジ部４０ｂの前端部側に螺合する。これにより、当接部９ｂは、連結部材４０の外周において、糸巻き胴部４ａの前側に当接する。より具体的には、当接部９ｂは、連結部材４０の外周において、前フランジ部４ｃの前側に当接する。このように、第２雌ネジ部１９ｂが連結部材４０の雄ネジ部４０ｂに装着されると、第１雌ネジ部１６ｂと第２雌ネジ部１９ｂとが連続した状態で、第１雌ネジ部１６ｂと第２雌ネジ部１９ｂとが雄ネジ部４０ｂに螺合する。
【００３８】
傾斜部９ａは、当接部９ｂの外周部に一体に形成されている。具体的には、傾斜部９ａは、前側から後側に向けて拡径するように、当接部９ｂから径方向外方に突出して形成されている。傾斜部９ａの外周部は、リング部材８の前端部に接触可能である。傾斜部９ａの外周部は、前フランジ部４ｃとで、リング部材８を挟持する。また、傾斜部９ａには、段差部９ｃが形成されている。段差部９ｃには、係合部４ｄが当接している。固定部材９の内周部には、後述するドラグ調整つまみ６１の後端部が、収納される。
【００３９】
ドラグ機構６０は、スプール４の回転を制動するものであり、スプール軸１５の先端に螺合するドラグ調整つまみ６１と、ドラグ調整つまみ６１により押圧されてスプール４を制動する制動部６２とを有している。
【００４０】
ロータ駆動機構５は、ロータ３を駆動する。ロータ駆動機構５は、駆動軸１０と、駆動ギア１１と、ピニオンギア１２と、を有している。駆動軸１０は、図示しない軸受により、リール本体２に回転自在に支持されている。駆動軸１０には、ハンドル１が固定されている。駆動ギア１１は、駆動軸１０に一体、又は駆動軸１０に別体で、設けられる。ここでは、駆動ギア１１は、フェースギアの形態になっている。ピニオンギア１２は、駆動ギア１１に噛み合う部材である。ピニオンギア１２は、筒状に形成されており、ピニオンギア１２の前部はロータ３の中心部を貫通し、ナット１３を介してロータ３に固定されている。また、ピニオンギア１２は、その軸方向の中間部と後端部とが、それぞれ軸受１４ａ、１４ｂを介してリール本体２に回転自在に支持されている。
【００４１】
オシレーティング機構６は、スプール４を駆動する。オシレーティング機構６は、ドラグ機構６０を介して、スプール４の中心部に連結されたスプール軸１５を、前後方向に移動させて、スプール４を同方向に移動させるための機構である。オシレーティング機構６は、トラバースカム軸２１と、スライダ２２と、中間ギア２３とを有している。トラバースカム軸２１は、スプール軸１５の下方において、スプール軸１５に平行に配置されている。スライダ２２は、トラバースカム軸２１に沿って前後方向に移動する。スライダ２２には、スプール軸１５の後端が回転不能に固定されている。中間ギア２３は、トラバースカム軸２１の先端に固定されている。中間ギア２３は、ピニオンギア１２に噛み合っている。
【００４２】
＜スプール前部の組み立て＞
ここでは、スプール４の前部を組み立てる手順について、説明する。
【００４３】
まず、連結部材４０が、糸巻き胴部４ａに装着される。例えば、連結部材４０の後端部が、糸巻き胴部４ａの前方から、糸巻き胴部４ａの内周側に挿入される。続いて、連結部材４０の中央部側の雄ネジ部４０ｂが、糸巻き胴部４ａの内周において前部に形成された第１雌ネジ部１６ｂに螺合される。そして、連結部材４０の後端部が、糸巻き胴部４ａの位置決め部１６ｃに当接すると、連結部材４０が糸巻き胴部４ａに位置決めされる。このようにして、連結部材４０は、糸巻き胴部４ａに装着される。
【００４４】
次に、前フランジ部４ｃの外周部に、リング部材８が配置される。この状態で、固定部材９が、連結部材４０に装着される。例えば、固定部材９の第２雌ネジ部１９ｂが、連結部材４０の前端部側の雄ネジ部４０ｂに螺合される。これにより、リング部材８が、前フランジ部４ｃと固定部材９との間で挟持される。このように、糸巻き胴部４ａと固定部材９とは、連結部材４０を介して、連結される。
【００４５】
＜まとめ＞
（１）本スピニングリール１００のスプール４は、釣り糸を前方に繰り出すスプールである。このスプール４は、連結部材４０と、スプール本体４１と、固定部材９と、リング部材８とを、備えている。連結部材４０は、円筒状の本体部４０ａと、雄ネジ部４０ｂとを、有している。雄ネジ部４０ｂは、本体部４０ａの外周において前端部から中央部に向けて形成されている。スプール本体４１は、連結部材４０の雄ネジ部４０ｂの中央部側に螺合することによって、連結部材４０の外周に配置される。固定部材９は、連結部材４０の雄ネジ部４０ｂの前端部側に螺合することによって、連結部材４０の外周においてスプール本体４１の前側に当接する。リング部材８は、スプール本体４１の外周部と固定部材９の外周部とによって、挟持される。
【００４６】
このスプール４では、連結部材４０を介して、スプール本体４１と固定部材９とは連結されている。詳細には、連結部材４０の雄ネジ部４０ｂに、スプール本体４１と固定部材９とを螺合することによって、スプール本体４１と固定部材９とは連結されている。これにより、スプール本体４１と固定部材９との間に不完全ネジ部を形成することなく、スプール本体４１と固定部材９とを連結することができる。これにより、スプール４のコンパクト化、及びスプール４の強度を同時に図ることができる。
【００４７】
（２）本スピニングリール１００のスプール４では、スプール本体４１は、円筒状の糸巻き胴部４ａと、第１雌ネジ部１６ｂとを、有している。糸巻き胴部４ａには、釣り糸が外周に巻き付けられる。第１雌ネジ部１６ｂは、雄ネジ部４０ｂの中央部側に螺合する部分である。第１雌ネジ部１６ｂは、糸巻き胴部４ａの内周において前端部側に形成されている。固定部材９は、第２雌ネジ部１９ｂを、有している。第２雌ネジ部１９ｂは、雄ネジ部４０ｂの前端部側に螺合する。
【００４８】
この場合、スプール本体４１の第１雌ネジ部１６ｂを、連結部材４０の雄ネジ部４０ｂの前端部側に螺合し、且つ固定部材９の第２雌ネジ部１９ｂを、連結部材４０の雄ネジ部４０ｂの前端部側に螺合することによって、スプール本体４１と固定部材９とを確実に連結することができる。これにより、スプール４のコンパクト化、及びスプール４の強度を同時に図ることができる。
【００４９】
（３）本スピニングリール１００のスプール４では、スプール本体４１の第１雌ネジ部１６ｂと固定部材９の第２雌ネジ部１９ｂとが隣接した状態で、スプール本体４１の第１雌ネジ部１６ｂと固定部材９の第２雌ネジ部１９ｂとは、雄ネジ部４０ｂに螺合する。
【００５０】
この場合、スプール本体４１の第１雌ネジ部１６ｂと固定部材９の第２雌ネジ部１９ｂとが隣接した状態で、固定部材９をスプール本体４１の前側に当接させることができるので、スプール本体４１と固定部材９とをより確実に連結することができる。これにより、スプール４のコンパクト化、及びスプール４の強度を同時に図ることができる。
【００５１】
（４）本スピニングリール１００のスプール４では、固定部材９は、スプール本体４１に当接する当接部９ｂを、さらに有している。固定部材９の第２雌ネジ部１９ｂは、当接部９ｂの内周に形成されている。
【００５２】
この場合、固定部材９の第２雌ネジ部１９ｂを当接部９ｂの内周に形成することによって、スプール本体４１と固定部材９とをより確実に連結することができるとともに、スプール４の更なるコンパクト化を図ることができる。
【００５３】
（５）本スピニングリール１００のスプール４では、スプール本体４１が、前フランジ部４ｃを、さらに有している。前フランジ部４ｃは、糸巻き胴部４ａの前端部から径方向外方に延びている。固定部材９は、傾斜部９ａを、さらに有している。傾斜部９ａは、当接部９ｂから径方向外方に突出している。リング部材８は、スプール本体４１の前フランジ部４ｃと固定部材９の傾斜部９ａとによって、挟持される。
【００５４】
この場合、固定部材９の傾斜部９ａを、当接部９ｂから径方向外方に突出させることによって、固定部材９とスプール本体４１との間で、リング部材８を保持することができる。すなわち、上記の効果を有するスプール４を、提供することができる。
【００５５】
（６）本スピニングリール１００は、リール本体２と、ハンドル１と、ロータ３と、スプール４とを、備えている。ハンドル１は、リール本体２に回転自在に装着される。ロータ３は、ハンドル１の操作に連動して回転する。スプール４は、ロータ３の回転によって釣り糸が巻き付けられる。スプール４は、前記実施形態に記載のスプールである。
【００５６】
このスピニングリール１００では、スプール４が、前記実施形態のスプールを有している。これにより、スプール４のコンパクト化、及びスプール４の強度を同時に図ることが可能なスピニングリールを、提供することができる。
【００５７】
＜他の実施形態＞
以上、本発明の一実施形態について説明したが、本発明は上記実施形態に限定されるものではなく、発明の要旨を逸脱しない範囲で種々の変更が可能である。特に、本明細書に書かれた複数の実施形態及び変形例は必要に応じて、任意に組合せ可能である。
【００５８】
（Ａ）前記実施形態では、リング部材８が、スプール本体４１の外周部と固定部材９の外周部（突出部９ａ）とによって挟持される場合の例を示したが、図４に示すように、リング部材８は、スプール本体４１の外周部に、カシメ固定されていてもよい。ここで、図４の構成は、リング部材８を固定する構成を除くと、前記実施形態（図３）の構成と同様である。このため、同じ構成には、同じ符号を付している。
【００５９】
この場合、スプール前部は、次のように組み立てられる。まず、リング部材８が、スプール本体４１の外周部に固定される。詳細には、スプール本体４１の係合部４ｄをカシメることによって、リング部材８が、スプール本体４１の外周部に、固定される。次に、連結部材４０が、スプール本体４１に装着される。最後に、固定部材９が、連結部材４０に装着される。なお、ここでは、係合部４ｄが、リング部材８に係合する部材として用いられている。
【００６０】
この場合、連結部材４０をスプール本体４１に装着する前に、リング部材８が、スプール本体４１の外周部に固定される。すなわち、リング部材８をスプール本体４１に固定する際には、スプール本体４１の中央部に突出部（連結部材４０の前端部）が存在していない。これにより、固定作業、例えばカシメ作業を、容易に行うことができる。この効果は、連結部材４０をスプール本体４１とは別体にすることによって生じる。
【００６１】
なお、図４では、リング部材８がスプール本体４１の外周部に固定されていることを示すために、リング部材８の外周部と固定部材９の外周部との間に隙間Ｄが、設けられている。この隙間Ｄは、必須ではなく、設けなくてもよい。隙間Ｄを設けなかった場合（Ｄ≒０）、異物の混入等を効果的に防止することができる。
【産業上の利用可能性】
【００６２】
本発明は、スピニングリールのスプール、及びスピニングリールに対して、広く適用可能である。
【符号の説明】
【００６３】
１００  スピニングリール
１      ハンドル
２      リール本体
３      ロータ
４      スプール
４１    スプール本体
７ａ    糸巻き胴部
８      リング部材
９      固定部材
９ａ    傾斜部
９ｂ    当接部
１６ｂ  第１雌ネジ部
１９ｂ  第２雌ネジ部
４０    連結部材
４０ａ  本体部
４０ｂ  雄ネジ部
【図１】
2014121278.tif 000003
【図２】
2014121278.tif 000004
【図３】
2014121278.tif 000005
【図４】
2014121278.tif 000006